(57)【要約】      （修正有）【課題】畳み込みを容易にし、特に、子供に喜んで使用してもらうことができる、傘を提供する。【解決手段】中棒１の一端にＪ字状のハンドル２が取り付けられ、球状の露先３を先端に有する親骨４に傘生地５を取り付け、傘を畳んだ際に、親骨４と隣接する親骨４との中間に位置する線である折り畳み線５１上の縁部に、スナップボタンにより取り外し自在なハート型の装飾形状の重り部品６を取り付ける。【選択図】図１
0003197509.tif 000002
【実用新案登録請求の範囲】
【請求項１】
傘を畳んだ際の傘生地の折り畳み線上に、重り部品を取り付けたことを特徴とする、傘。
【請求項２】
重り部品が、取り外し自在なものであることを特徴とする、請求項１に記載の傘。
【請求項３】
重り部品が、装飾形状であることを特徴とする、請求項１または２に記載の傘。
【考案の詳細な説明】
【技術分野】
【０００１】
本考案は、傘に関し、特に小さな子供の使用に適した傘に関する。
【背景技術】
【０００２】
小さな子供は、雨の日にレインコートを着用した上で長靴を履くことが多いので、動き難く不自由を強いられており、傘を持つことを嫌う傾向にある。
また、小さな子供にとって、傘を畳もうと思っても、上手に畳めないことが多い。
そのため、特に、小さな子供は、傘の使用を嫌がる傾向にある。
【０００３】
傘の折り畳みを容易にするため、特許文献１に記載の技術が知られている。
該特許文献１に記載の技術は、コーティングされたポリエステル織物を傘地として傘製品を作成した後、当該傘製品を折り畳んだ状態で１２０〜１６０℃で熱処理し、プリーツ性を付与することで、傘の折り畳みを容易にするものである。
【考案の概要】
【考案が解決しようとする課題】
【０００４】
しかしながら、特許文献１に記載の技術は、子供が傘を喜んで使用するためのものではなく、プリーツ性を付与した場合であっても、子供にとって上手く畳めないことも考えられる。
【０００５】
従って、本考案の解決しようとする課題は、畳み込みを容易にし、特に、子供に喜んで使用してもらうことができる、傘を提供することにある。
【課題を解決するための手段】
【０００６】
第１に、
傘を畳んだ際の傘生地の折り畳み線上に、重り部品を取り付けたことを特徴とする、傘。
ここで、傘は、手開き式やジャンプ式の長傘の他に、２段や３段の折り畳み傘、雨傘、日傘等の各種の傘が対象となり、子供用に限定されることなく、婦人用、紳士用等も対象となる。
傘生地の折り畳み線は、親骨と隣接する親骨との中間に位置する線を示す。
傘生地としては、防水加工やＵＶ加工が施された布地や、ビニール素材のものを採用できる。
また、重り部品は、傘を畳む際に、傘の先を地面につけたままで、数回、くるくると振ったり、回転させたりした際に、遠心力により、ひだ部分が外側に出てくるように作用する程度の重量を有するものが好ましい。
重り部品は、一体であるもの限らず、取付部と本体部とからなる分離タイプものも採用できる。
該重り部品は、遠心力作用を十分なものとするために、折り畳み線上の縁部に取り付けることが好ましい。
第２に、
重り部品が、取り外し自在なものであることを特徴とする、上記第１に記載の傘。
ここで、重り部品が取付部と本体部とからなる分離タイプの場合には、本体部が取り外し自在となり、取付部は折り畳み線上に取り付けられたままである。
例えば、スナップボタンを用いて取付部と本体部とを構成し、本体部を取り外し自在にすることができる。
また、傘生地としてビニール素材等の布地より耐久性に劣る素材を用いる場合には、頻繁に本体部を取り外しせずに、基本的には１種類を選択して取付部に取り付けたら外さないように構成することで、耐久性の問題を解消することができる。
第３に、
重り部品が、装飾形状であることを特徴とする、上記第１または第２に記載の傘。
装飾形状としては、ハート型、ダイヤ型等の形状の他に、キャラクター、花、果物、動物、乗物、文房具、食品等の各種の形状を採用することができる。
そして、子供用にはキャクター、女性には花や果物、男性には乗物など、男女・年齢の嗜好にあわせたものを採用できる。
ここで、重り部品の形状は、全てが同一である必要はなく、キャクターであれば、一連の登場人物を模した異なるキャラクターや、苺、みかん、リンゴ等の異なる果物の形状を採用できる。
また、重り部品の形状として、アルファベッドを採用し、所有者の名前に対応した文字とすることで、持ち主を識別することが可能となるし、ブランド名や、店名等に対応した文字とすることで広告宣伝効果も期待できる。
【考案の効果】
【０００７】
本考案によれば以下の効果を奏することができる
【０００８】
傘を畳んだ際の傘生地の折り畳み線上に、重り部品を取り付けたので、傘を畳む際に、親骨を閉じて露先を中棒の周囲に近接させた状態で、傘の先を地面につけたままで、数回、くるくる振ったりすることで、重り部品の影響を受けて、遠心力により、折り畳み線を中心としたひだ部分が自然に外側に出てくるので、水滴が落ち易くなると共に、まとまり易くなる。
そのため、誰でも、特に小さな子供でも容易に傘を畳み込むことが可能となる。
【０００９】
重り部品を取り外し自在にしたものは、各種形状の重り部品を、その日の気分等によって、好みのものに交換できる。
また、傘の本体が壊れた場合であっても、別の傘の重り部品として使用することが可能となるので、特に、傘を壊しやすい子供を持つ親の助けとなる。
【００１０】
重り部品を装飾形状、例えば、マンガのキャラクターにすることで、キャラクター好きな小さな子供とって喜ばれるものとなり、小さな子供が傘を積極的に使用する助けとなる。
【図面の簡単な説明】
【００１１】
【図１】本考案の傘を開いた状態の正面図である。
【図２】本考案の傘を開いた状態の平面図である。
【図３】本考案の傘を閉じた状態の正面図である。
【考案を実施するための形態】
【００１２】
以下、本考案を実施するための形態を、図面を参照しつつ具体的に説明する。
ここで、添付図面において同一の部材には同一符号を付しており、また重複した説明は省略されている。
なお、ここでの説明は本考案が実施される一形態であることから、本考案は該当形態に限定されるものではない。
【００１３】
図１、２に示すように、本考案の傘は、中棒１の一端にＪ字状のハンドル２が取り付けられ、球状の露先３を先端に有する親骨４に、傘生地５を取り付けたものである。
【００１４】
そして、傘を畳んだ際の傘生地５の折り畳み線５１上の縁部に、スナップボタンにより取り外し自在なハート型の装飾形状の重り部品６を取り付けたものである。
ここで、折り畳み線５１は、親骨４と、隣接する親骨４との中間に位置する線を示す。
【００１５】
また、重り部品６は、取付部と本体部とで分離するものであり、傘を畳む際に、傘の先を地面につけたままで、数回、くるくると振った際に、遠心力により、傘生地５の隣接する親骨４との間である、ひだ部分が外側に出てくるように作用する程度の重量を有する。
【００１６】
図中、７は閉じた状態の傘生地をまとめるループ状のバンドであり、８はバンド止である。
ここで、バンド７は、傘生地５と同じ素材で形成する他に、ゴム等の伸縮素材によって形成することもできる。
また、バンド止８は、図示は省略するが、磁性体を用い、磁力によって止めるように構成することもできる。
【００１７】
上記の傘は、図３に示すように閉じた状態にする際は、傘を畳む際に、親骨４を閉じて露先３を中棒１の周囲に近接させた状態で、傘の先を地面につけたままで、数回、くるくると振ることで、重り部品６の影響を受けて、遠心力により、折り畳み線５１を中心としたひだ部分が自然に外側に出てくるので、水滴が落ち易くなると共に、まとまり易くなる。
その結果、小さな子供であっても容易に畳み込むことが可能となる。
【符号の説明】
【００１８】
１  中棒
２  ハンドル
３  露先
４  親骨
５  傘生地
５１  折り畳み線
６  重り部品
７  バンド
８  バンド止
【先行技術文献】
【特許文献】
【００１９】
【特許文献１】特開平９−３２７号公報
【図１】
0003197509.tif 000003
【図２】
0003197509.tif 000004
【図３】
0003197509.tif 000005